(57)【特許請求の範囲】
【請求項１】
矩形状の上方開口部（10）を有し内部に付箋積層体（Ｔ）が収納される箱体（１）と、上記箱体（１）内部に設けられ上記付箋積層体（Ｔ）を上方へ押圧する弾発部材（９）と、を備え、
上記箱体（１）は、上記上方開口部（10）の前辺（10ａ）側に上記付箋積層体（Ｔ）の飛び出しを阻止するための第１受面（21ｂ）を有し、上記上方開口部（10）の後辺（10ｂ）側に上記付箋積層体（Ｔ）の飛び出しを阻止するための第２受面（31ｂ）を有し、さらに、上記箱体（１）には、上記第２受面（31ｂ）近傍に最上位置の付箋（ｔａ）に接触して弯曲山型状に分離するための送りローラ（30）が上下動可能に設けられていることを特徴とする付箋ケース。
【請求項２】
上記箱体（１）内に、上記弾発部材（９）と上記付箋積層体（Ｔ）の間に介装される底板部材（５）と、該底板部材（５）と上記付箋積層体（Ｔ）の間に介装され該付箋積層体（Ｔ）の下面（Ｔｂ）に貼着される補強板（６）と、を備えた請求項１記載の付箋ケース。
【請求項３】
上記箱体（１）内に、上記弾発部材（９）と上記付箋積層体（Ｔ）の間に介装され該付箋積層体（Ｔ）の下面（Ｔｂ）に貼着される底板部材（５）を備えた請求項１記載の付箋ケース。
【発明の詳細な説明】
【技術分野】
【０００１】
本発明は、付箋ケースに関する。
【背景技術】
【０００２】
従来、付箋紙が１枚ずつ剥離可能に積層された付箋積層体（例えば、特許文献１参照）は、机の上に無造作に置かれる場合や、机の引出しや箱に収納されていた。
【先行技術文献】
【特許文献】
【０００３】
【特許文献１】実公昭６２−２４５３９号公報
【発明の概要】
【発明が解決しようとする課題】
【０００４】
しかし、机や受付カウンタ等に付箋積層体をそのまま置くのは、美観が損なわれると共に、整理・整頓ができていないと感じられてしまう虞があった。
また、引出しや箱に収納すると、必要な時に直ぐに使用できず使い勝手が悪いといった問題があった。
【０００５】
そこで、本発明は、美観を損なわずに付箋積層体を机上等に載置でき、容易かつ迅速に付箋積層体から１枚の付箋を剥離可能な付箋ケースの提供を目的とする。
【課題を解決するための手段】
【０００６】
上記目的を達成するために、本発明の付箋ケースは、矩形状の上方開口部を有し内部に付箋積層体が収納される箱体と、上記箱体内部に設けられ上記付箋積層体を上方へ押圧する弾発部材と、を備え、上記箱体は、上記上方開口部の前辺側に上記付箋積層体の飛び出しを阻止するための第１受面を有し、上記上方開口部の後辺側に上記付箋積層体の飛び出しを阻止するための第２受面を有し、さらに、上記箱体には、上記第２受面近傍に最上位置の付箋に接触して弯曲山型状に分離するための送りローラが上下動可能に設けられているものである。
【０００７】
また、上記箱体内に、上記弾発部材と上記付箋積層体の間に介装される底板部材と、該底板部材と上記付箋積層体の間に介装され該付箋積層体の下面に貼着される補強板と、を備えたものである。
または、上記箱体内に、上記弾発部材と上記付箋積層体の間に介装され該付箋積層体の下面に貼着される底板部材を備えたものである。
【発明の効果】
【０００８】
本発明によれば、美観を損なわずに付箋積層体を、机上等に出したままにできると共に机上等を整理整頓（スッキリ）できる。付箋積層体から付箋を１枚１枚スムーズに剥離できる。付箋積層体から１枚の付箋を１本の指のみで容易かつ確実に分離状態とすることができる。
【図面の簡単な説明】
【０００９】
【図１】本発明の第１の実施形態の平面図である。
【図２】図１のＡ−Ａ断面図である。
【図３】図１のＢ−Ｂ断面図である。
【図４】使用状態を説明する断面側面図である。
【図５】作用説明図である。
【図６】作用説明図である。
【図７】本発明の第２の実施形態の平面図である。
【図８】本発明の第３の実施形態の平面図である。
【図９】第３の実施形態の作用を説明するための側面図であり、（ａ）は付箋積層体収納前状態を示す断面側面図であり、（ｂ）は支持部材装着前を示す要部断面側面図であり、（ｃ）は支持部材装着後を示す断面側面図である。
【発明を実施するための形態】
【００１０】
以下、図示の実施形態に基づき本発明を詳説する。
本発明の付箋ケースは、図１乃至図４に示す第１の実施形態のように、付箋積層体Ｔを内部に収納可能な樹脂製の箱体１を備えている。
【００１１】
図１乃至図３に於て、箱体１は、矩形状の上方開口部10と、箱体１の内部に設けられ収納された付箋積層体Ｔ（以下、積層体Ｔと呼ぶ場合がある）を上方へ押圧する弾発部材９と、上方開口部10の前辺10ａ側に配設され積層体Ｔに接触して上方開口部10からの飛び出しを阻止するための第１受面21ｂと、上方開口部10の後辺10ａ側に配設され付箋積層体Ｔに接触して上方開口部10からの飛び出しを阻止するための第２受面31ｂと、第２受面31ｂの近傍に配設され最上位置の付箋ｔａに接触する送りローラ30と、を備えている。
【００１２】
箱体１は、前辺10ａ側に、第１受面21ｂと成る水平面状下面と、第１受面21ｂから連続状に形成される前方下傾状の誘導勾配面21ｃと、が形成された平面視半円弧状（舌片状）の係止部21を有している。
【００１３】
箱体１は、収納された積層体Ｔの上面の後部に送りローラ30が接触するように、送りローラ30を枢支する左右一対の支持部31，31を有している。支持部31は、箱体１の後壁部１ｂ側から水平状に前方へ突出している。
支持部31は、第２受面31ｂと成る水平面状下面と、送りローラ30が外嵌するローラ軸39の端部が差し込まれ上下方向に長い長円形乃至楕円形状の長孔31ａと、を有している。
第２受面31ｂは、送りローラ30の左右両側に一対で配設されている。また、ローラ軸39の端部が長孔31ａに沿って上下方向にスライド可能に差し込まれていることで、支持部31は送りローラ30を上下動可能に支持している。
【００１４】
水平状の設置面Ｇから第１受面21ｂまでの第１高さ寸法Ｈ１と、設置面Ｇから第２受面31ｂまでの第２高さ寸法Ｈ２と、を同等の長さに設定し、送りローラ30の非操作状態で、積層体Ｔを水平状姿勢にしている。
また、箱体１は、積層体Ｔの上面の後部乃至後端縁部の上方を覆う天板部37を有している。
天板部37は、送りローラ30の上部外周面を露出させるローラ用窓部37ｂを有し、送りローラ30の後方近傍に指との接触可能外周面を広くすると共に指と天板部37の干渉を防止する逃がし凹部37ａを有している。
【００１５】
また、箱体１の内部（収納空間）に、弾発部材９と積層体Ｔの間に配設される樹脂製の底板部材５と、底板部材５と積層体Ｔの下面Ｔｂの間に配設される補強板６と、を備えている。
補強板６は、付箋積層体Ｔの下面Ｔｂ（付箋積層体Ｔの最下位置に配設される台紙ｄ又は付箋ｔ）に貼着され、下面Ｔｂの前後寸法及び左右寸法よりも小さく、台紙ｄや付箋ｔよりもコシが強く撓みにくいものが好ましい。具体的には、０．５ｍｍ以上の厚紙が望ましい。また、金属製や樹脂製の板状部材とするも良い。
【００１６】
送りローラ30は、シリコンゴム、エラストマー等のゴム製が望ましい。また、付箋ｔの剥離可能仮粘着面以外の場所よりも粘着性のある外周面の円筒部材や、付箋ｔの剥離可能仮粘着面以外の場所よりも摩擦抵抗のある外周面の円筒部材、等でも良い。
弾発部材９は、軟質の発泡プラスチック、低反発ウレタン、スポンジ等の復元力のある樹脂製の板状乃至ブロック状部材、或いは、（円錐状の）コイルバネ、板バネ等の金属製バネ部材、樹脂性の蛇腹状バネ部材、等であれば良い。また、積層体Ｔの非収納状態で、底板部材５が第１受面21ｂ及び第２受面31ｂに当接しても、上方への弾発力を有する（押圧力を発揮する）程度に弾発力が設定されているものである。
【００１７】
また、箱体１は、上方矩形開口箱型の樹脂製のケース部材２と、ケース部材２に着脱自在に取着され、水平状軸心Ｌ廻りに回転自在に送りローラ30が枢着される樹脂製の支持部材３と、から成る。
支持部材３は、側面視コの字状に形成され、送りローラ30と、ローラ軸39と、支持部31と、天板部37と、を有している。さらに、ケース部材２の底壁部２ｃに設けられた差込係止溝28に差し込まれる水平突出状の差込突部38を有し、ケース部材２の後壁部２ｂ側から水平状に抜き差し自在に取着されている。また、ケース部材２は、前壁部２ａから水平突出状に係止部21を有している。
【００１８】
ここで、ケース部材２は、係止部21の先端から後壁部２ｂまでのケース開口前後寸法Ｓ２を、付箋前後寸法Ｓｔよりも小さく設定している。積層体Ｔを収納する際は、係止部21の下方に、積層体Ｔの前端縁部を潜らせるように前方下傾状に差し込んで収納する。
第１受面21ｂで積層体Ｔの前端縁部の浮き上がりを押さえる。その後、支持部材３を差込状に取着することで、第２受面31ｂで、積層体Ｔの後部乃至後端縁部の浮き上がりを押さえ、送りローラ30を、最上位置の付箋ｔａの所定位置（付箋積層体Ｔの上面後部位置）に接触するように配設している。
【００１９】
また、ケース部材２の底壁部２ｃの下面に、設置面Ｇに固定するための取付固定手段４として、磁石を固着している。なお、取付固定手段４は、ジェル状粘着体や吸盤部材等でも良い。
また、ケース部材２の底壁部２ｃには、係止部21の対面状位置に、抜き窓29を形成している。この抜き窓29を設けることで、ケース部材２の金型樹脂成型を可能としている。
【００２０】
次に、本発明の付箋ケースの使用方法（作用）について説明する。
先ず  積層体Ｔをケース部材２に収納する前に（予め）、下面Ｔｂに補強板６を貼着する。積層体Ｔは、複数（10枚以上の多数）の付箋ｔが積層され一端縁部が、剥離可能に仮粘着された、剥離用仮粘着端縁部を有しており、この仮粘着端縁部を、前にして、ケース部材２内の底板部材５に載置し、ケース部材２に支持部材３を取着して、積層体Ｔを箱体１に収納した状態とする。
【００２１】
図３に示すように、送りローラ30の非操作状態では、第１・第２受面21ｂ，31ｂによって、積層体Ｔは、上方開口部10からの飛び出しが阻止され、水平状（設置面Ｇに対して平行状）に維持されている。
図４に示すように、使用者が指で送りローラ30の上部外周面を後方へ引くように矢印Ｎ方向へ回転させると、送りローラ30が最上位置の付箋ｔａの後部乃至後端縁部を、前方へ摺動させて（滑らして）、最上位置の付箋ｔａの前端縁部と後端縁部の間（中間部）を弯曲山型にする。最上位置の付箋ｔａの下にある次の付箋ｔｅから、最上位置の付箋ｔａの中間部を分離状態とする。
【００２２】
つまり、図５に示すように、送りローラ30の非操作状態では、弾発部材９の上方への弾発力Ｆｄによって、積層体Ｔの前端縁部は第１受面21ｂに押圧されている。また、付箋積層体Ｔの後部乃至後端縁部は第２受面31ｂに押圧されている。
【００２３】
そして、図６に示すように、操作状態では、指からの操作力によって、送りローラ30を矢印Ｎ方向に回転させる力と、送りローラ30を弾発力Ｆｄに抗して下方へ移動させる押圧力Ｆｆと、が発生する。
【００２４】
押圧力Ｆｆによって、送りローラ30が積層体Ｔの後部を下方へ押圧すると、最上位置の付箋ｔａは、前端縁部が第１受面21ｂに押し付けられたまま、積層体Ｔは後方下傾状となり、積層体Ｔ（最上位置の付箋ｔａ）の上面の後部乃至後端縁部と第２受面31ｂの間に間隙が形成される（所定間隙寸法ΔＨだけ離れる）。したがって、最上位置の付箋ｔａの上面の後部乃至後端縁部は、弾発力Ｆｄによって第２受面31ｂに押し付けられていないため、送りローラ30の回転によってスムーズに前方へ滑るようになる。
【００２５】
そして、送りローラ30を矢印Ｎ方向に回転すると、最上位置の付箋ｔａの上面の後部乃至後端縁部が前方へ送り出される。この際、最上位置の付箋ｔａの前端縁部は、第１受面21ｂへの押圧力や箱体１の前壁部１ａ（ケース部材２の前壁部２ａ）によって、前方へのスライドが阻止されているため、最上位置の付箋ｔａは、二点鎖線で図示するように、中間部が弯曲山型状となる。つまり、送りローラ30は、最上位置の付箋ｔａの中間部を弯曲山型状とする送り出し力Ｍを発生させ、最上位置の付箋ｔａの中間部と次の付箋ｔｅの間を分離する。
【００２６】
送りローラ30から指を離すと、押圧力Ｆｆがなくなるが、弾発力Ｆｄによって、最上位置の付箋ｔａが送りローラ30を押圧することで、滑り戻りが防止され弯曲山型形状が保持されながら送りローラ30は上方へ移動する。そして、再び、最上位置の付箋ｔａが第２受面31ｂに押圧されるまで戻る。最上位置の付箋ｔａの上面の後部乃至後端縁部が第２受面31ｂに押圧されることで、後方への滑り戻りが防止され弯曲山型形状が保持される。したがって、指を送りローラ30から離した操作後状態においても、最上位置の付箋ｔａの中間部は、弯曲（丸）山型状に保持される。
【００２７】
使用者は、弯曲山型状中間部を摘んで引き上げることで、積層体Ｔから最上位置の付箋ｔａを容易に剥離できる。この際、誘導勾配面21ｃによって、付箋ｔａの前方端縁部には、折り目や傷が付けられることなくスムーズに、剥離される。そして、弾発部材９によって積層体Ｔが押し上げられ、次の付箋ｔｅが最上位置の付箋ｔａとなる。
【００２８】
また、積層体Ｔが薄く（付箋ｔの残り枚数が少なく）なった状態、特に、付箋ｔが最後の１枚の場合は、（最後の１枚と薄い台紙ｄの２枚であるため、）積層体Ｔのコシが弱くなる。最上位置の付箋ｔａと台紙ｄが２枚重なって弯曲山型となり、中間部が分離できず、付箋ｔａのみを剥離させることが困難となってしまう場合や、使用者が２枚同時に引出す場合がある。しかし、積層体Ｔの下面Ｔｂ（台紙ｄ）に、補強板６を貼着していることで、最後の１枚の付箋ｔを、台紙ｄから確実に弯曲山型状の分離状態にできる。補強板６によって台紙ｄにコシが付与されることで、残り枚数が減少して積層体Ｔのコシが弱くなっていっても、１枚１枚を確実に分離状態（剥離可能）とすることが可能となる。
【００２９】
次に、図７に示すように、第２の実施形態は、１つの箱体１に、各々独立して回転可能な２つの送りローラ30を、直列状に（回転軸心を一致させて）配設し、箱体１（ケース部材２）の内部に、仕切り壁部90を設け、内部を区画して第１収納空間91と、第２収納空間92と、を形成している。第１収納空間91と第２収納空間92、夫々に、付箋積層体Ｔ，Ｔが収納される。
各付箋積層体Ｔに、夫々、対応するように、第１・第２受面21ｂ，31ｂと、送りローラ30と、図示省略の弾発部材９と、底板部材５と、補強板６と、を設けている。
色違いの付箋積層体Ｔをひとまとめに収納できると共に、色違いの積層体Ｔを個別に使用できる。
【００３０】
次に、図８及び図９に示すように、第３の実施形態は、積層体Ｔの積層体厚み寸法Ｙｔが未使用状態で厚いもの（例えば２０ｍｍ以上のもの）に好適であって、第１の実施形態に比べて箱体１の内部（収納空間）が深い上方開口箱型のケース部材２と、ケース部材２の内部に上方から差し込まれる脚部３ｂを有する倒立Ｌ字状の支持部材３と、を備えている。
【００３１】
ケース部材２は、左右の側壁部２ｄ，２ｄの後壁部２ｂ近傍に、平面視コの字状かつ左右内方開口状の上下方向のガイド凹溝26，26を有している。
また、支持部材３の脚部３ｂは、ガイド凹溝26，26に、夫々差し込まれる左右一対の凸条36，36を有している。また、支持部材３は、凸条36よりも前方側に、半球状の嵌合凸部35，35を有している。
ケース部材２は、嵌合凸部35，35が弾性変形して嵌まり込む凹曲状の嵌合凹部25，25を左右の側壁部２ｄ，２ｄに有している。
【００３２】
図９（ａ）に示すように、ケース部材２は、ケース開口前後寸法Ｓ２を、積層体Ｔの付箋前後寸法Ｓｔより大きく形成している。
そして、ケース部材２の上方から積層体Ｔを水平状のまま、接近させて、係止部21に干渉することなく、ケース部材２内に積層体Ｔを収納可能としている。係止部21をかわすように前方下傾状に差し込むように収納する必要がなく、容易に（厚み寸法Ｙｔによる影響を受けず）収納可能となっている。
図９（ｂ）に示すように、ケース部材２内で、係止部21の第１受面21ｂにより付箋積層体Ｔの前端縁部が押さえられるように、積層体Ｔを前方に移動させる。
すると、積層体Ｔとケース部材２の後壁部２ｂの間に、空間が形成される。この空間に、上方から支持部材３の脚部３ｂを差し込み、凸条36をガイド凹溝26内にスライドさせ、嵌合凸部35を嵌合凹部25に嵌め込んで、図９（ｃ）に示すように、ケース部材２に、支持部材３が装着され箱体１と成る。
【００３３】
次に、図示省略するが、他の実施形態は、図２と図３と図４と図９に図示した補強板６を省略したものである。そして、積層体Ｔを収納する前に、ケース部材２内から底板部材５を取り出して、積層体Ｔの下面Ｔｂに底板部材５を収納前に（予め）貼着して、付箋積層体Ｔにコシを付与するものである。
【００３４】
また、上述した実施形態のように、箱体１をケース部材２と支持部材３に分離するように設けたことで、送りローラ30に邪魔されず、ケース部材２への積層体Ｔの収納を容易にすると共に、送りローラ30を積層体Ｔの上面後部に配設でき、中間部を弯曲山型状に形成しやすくしている。
【００３５】
なお、本発明の説明を容易にするために、箱体１を、水平状面の設置面Ｇに載置した場合を基準姿勢として、方向を説明している。したがって、方向を基に、使用状態の姿勢を限定するものではない。例えば、取付固定手段４によって、棚や机の側面といった鉛直状面に貼り付けた使用や、引出しやカウンターテーブルの下面又は棚の天板等といった水平状面の下面側に逆さに貼り付けた使用も可能である。
また、付箋積層体Ｔを基準として、方向を言い換えると、上下方向とは、付箋積層体Ｔの積層方向（厚み方向）であり、前とは、付箋積層体Ｔの仮粘着端縁部側である。
【００３６】
なお、本発明は設計変更可能であって、図１乃至図４に示した第１の実施形態のケース部材２のケース開口前後寸法Ｓ２を、付箋前後寸法Ｓｔよりも大きく設定しても良い。図７に示した第２の実施形態のケース部材２及び支持部材３を、図８に示した第３の実施形態のように、ケース部材２から倒立Ｌ字状の支持部材３を上下方向着脱自在に構成するも良く、支持部材３を各収納空間91，92に夫々対応するように分離させて（２つ）設けても良い。なお、箱体１に収納される付箋ｔの形状は、図示した矩形状に限らず円形状や楕円形状や動物のキャラクター等の形状でも良い。
【００３７】
以上のように、本発明の付箋ケースは、矩形状の上方開口部10を有し内部に付箋積層体Ｔが収納される箱体１と、箱体１内部に設けられ付箋積層体Ｔを上方へ押圧する弾発部材９と、を備え、箱体１は、上方開口部10の前辺10ａ側に付箋積層体Ｔの飛び出しを阻止するための第１受面21ｂを有し、上方開口部10の後辺10ｂ側に付箋積層体Ｔの飛び出しを阻止するための第２受面31ｂを有し、さらに、箱体１には、第２受面31ｂ近傍に最上位置の付箋ｔａに接触して弯曲山型状に分離するための送りローラ30が上下動可能に設けられているので、美観を損なわずに付箋積層体Ｔを、机上等に出したままにできると共に机上等を整理整頓（スッキリ）できる。付箋積層体Ｔから付箋を１枚１枚スムーズに剥離できる。また、付箋積層体Ｔから１枚の付箋を１本の指のみで容易かつ確実に分離状態とすることができる。また、部品点数が少なく容易に製作できる。
【００３８】
また、箱体１内に、弾発部材９と付箋積層体Ｔの間に介装される底板部材５と、底板部材５と付箋積層体Ｔの間に介装され付箋積層体Ｔの下面Ｔｂに貼着される補強板６と、を備えたので、積層体Ｔにコシを付与でき、枚数が少なくなっても安定して、１枚ずつ弯曲山型状の分離状態にできる。最後の１枚の付箋ｔまで使い切ることができる。また、底板部材５によって弾発部材９の弾発力を付箋積層体Ｔに略均一に伝達して、付箋積層体Ｔを水平状に上方へ押圧できる。
【００３９】
また、箱体１内に、弾発部材９と付箋積層体Ｔの間に介装され付箋積層体Ｔの下面Ｔｂに貼着される底板部材５を備えたので、積層体Ｔにコシを付与でき、枚数が少なくなっても安定して、１枚ずつ弯曲山型状の分離状態にできる。最後の１枚の付箋ｔまで使い切ることができる。部品点数を少なくできる。また、弾発部材９の弾発力を付箋積層体Ｔに略均一に伝達して、付箋積層体Ｔを水平状に上方へ押圧できる。
【符号の説明】
【００４０】
１  箱体
５  底板部材
６  補強板
９  弾発部材
10  上方開口部
10ａ  前辺
10ｂ  後辺
21ｂ  第１受面
30  送りローラ
31ｂ  第２受面
Ｔ  付箋積層体
Ｔｂ  付箋積層体の下面
ｔａ  最上位置の付箋
【要約】
【課題】美観を損なわずに付箋積層体を載置でき、容易かつ迅速に付箋積層体から１枚の付箋を剥離可能な付箋ケースを提供する。
【解決手段】  矩形状の上方開口部10を有し内部に付箋積層体Ｔが収納される箱体１と、箱体１内部に設けられ付箋積層体Ｔを上方へ押圧する弾発部材９と、を備え、箱体１は、上方開口部10の前辺側に付箋積層体Ｔの飛び出しを阻止するための第１受面21ｂを有し、上方開口部10の後辺側に付箋積層体Ｔの飛び出しを阻止するための第２受面31ｂを有し、さらに、箱体１には、第２受面31ｂ近傍に最上位置の付箋ｔａに接触して弯曲山型状に分離するための送りローラ30が上下動可能に設けられている。
【選択図】図４【図１】
0004779170.tif 000002
【図２】
0004779170.tif 000003
【図３】
0004779170.tif 000004
【図４】
0004779170.tif 000005
【図５】
0004779170.tif 000006
【図６】
0004779170.tif 000007
【図７】
0004779170.tif 000008
【図８】
0004779170.tif 000009
【図９】
0004779170.tif 000010